(57)【要約】【課題】タイムシフト機能を有するテレビジョン受像機にビデオゲーム機器を接続した場合でも、ビデオゲーム信号を表示部にリアルタイムに表示する。【解決手段】タイムシフト機能を有するテレビジョン受像機２にビデオゲーム機器１が接続された構成の表示システムにおいて、ビデオゲーム機器１は、選択スイッチ１８による選択操作により、コピーガード信号付加回路１６がビデオゲーム信号にコピーガード信号を付加して出力し、テレビジョン受像機２では、コピーガード検出回路２２により付加されたコピーガード信号を検出すると、スイッチコントロール回路２８が各切替スイッチ２３，２４の接続を端子ｂから端子ｃに切り替えることにより、入力されたビデオゲーム信号を、タイムシフト回路部２５を経由せずに表示部２７に直接出力する。【選択図】　図１
2004023267.tif 000002
【特許請求の範囲】
【請求項１】
入力信号を記憶媒体に記憶しタイムシフトして表示部に出力するタイムシフト手段を有するテレビジョン受像機の入力端子に、リアルタイム表示が必要なオーディオ・ビデオ信号を出力する光ディスク装置の出力端子が接続された構成の表示システムにおいて、
前記光ディスク装置は、前記オーディオ・ビデオ信号にコピーガード信号を付加するコピーガード信号付加手段と、前記オーディオ・ビデオ信号にコピーガード信号を付加するか否かをユーザが選択する選択手段とを備え、
前記テレビジョン受像機は、入力信号である前記オーディオ・ビデオ信号にコピーガード信号が付加されているか否かを検出するコピーガード検出手段と、このコピーガード検出手段によりコピーガード信号を検出した場合には、前記オーディオ・ビデオ信号を前記タイムシフト手段を経由せずに前記表示部に直接出力する入力切替手段とを備えたことを特徴とする表示システム。
【請求項２】
リアルタイム表示が必要な各種デジタル信号を出力する出力装置において、前記デジタル信号にコピーガード信号を付加するコピーガード信号付加手段と、前記デジタル信号にコピーガード信号を付加するか否かをユーザが選択する選択手段とを備えたことを特徴とする出力装置。
【請求項３】
入力信号を記憶媒体に記憶しタイムシフトして表示部に出力するタイムシフト手段を有する表示装置において、
入力信号にコピーガード信号が付加されているか否かを検出するコピーガード検出手段と、
このコピーガード検出手段によりコピーガード信号を検出した場合には、入力信号を前記タイムシフト手段を経由せずに前記表示部に直接出力する入力切替手段とを備えたことを特徴とする表示装置。
【請求項４】
請求項２に記載の出力装置と請求項３に記載の表示装置とからなることを特徴とする表示システム。
【請求項５】
前記出力装置がビデオゲーム機器またはビデオゲーム機能を搭載した光ディスク装置であり、前記表示装置がセットトップボックスまたはテレビジョン受像機であることを特徴とする請求項４に記載の表示システム。
【発明の詳細な説明】
【０００１】
【発明の属する技術分野】
本発明は、ビデオゲーム機器またはビデオゲーム機能を搭載した光ディスク装置等の出力装置、セットトップボックスまたはテレビジョン受像機等の表示装置、及びこれら表示装置に出力装置を接続した表示システムに関する。
【０００２】
【従来の技術】
従来より、入力信号をＨＤ（ハードディスク）等の記憶媒体に記憶しタイムシフトして表示部に出力するタイムシフト機能を有するテレビジョン受像機やセットトップボックスが提供されている。
【０００３】
タイムシフト機能を有するテレビジョン受像機として、例えば特開２０００−３５０１３０号公報に記載の録画再生装置や、特開２００１−３０９２６８号公報に記載の表示装置などがある。
【０００４】
上記録画再生装置は、ランダムアクセスが可能な記憶装置を使用した録画再生装置において、特にソフトウエアによりタイムシフト再生機能を実現する場合に、制御手段自体が録画機構部及び再生機構部を直接制御することなく、タイムシフト再生を開始する映像の位置などの簡単な制御を与えるだけで、タイムシフト再生機能を実現することが可能な構成となっている。
【０００５】
上記表示装置は、タイムシフト機能を知的に作動させることができ、また、タイムシフトしたときに不要となる表示用信号の一部に付随する情報（番組に多重化されてきた時刻情報やテロップ等）を消去するようになっている。
【０００６】
一方、リアルタイム表示が必要なオーディオ・ビデオ信号を出力するビデオゲーム機器や、ＤＶＤ（Ｄｉｇｉｔａｌ　Ｖｅｒｓａｔｉｌｅ　Ｄｉｓｃ）の再生が可能なビデオゲーム機器も提供されている。
【０００７】
【発明が解決しようとする課題】
ところで、このようなリアルタイム表示が必要なオーディオ・ビデオ信号を出力するビデオゲーム機器や、ＤＶＤの再生が可能なビデオゲーム機器を、上記の録画再生装置や表示装置に接続してゲームを行おうとした場合、ビデオゲーム機器から出力されたオーディオ・ビデオ信号は、装置内のタイムシフト機能によって一旦記憶媒体に記憶され、タイムシフトして表示部に表示されることになる。このときの最短のシフト時間は約１秒程度である。
【０００８】
従って、画面に表示されているゲームの内容と、実際に進行しているゲームの内容との間にタイムラグが生じるため、タイムシフト機能を有する装置にビデオゲーム機器を接続した場合には、ゲームを行うことができないといった問題があった。
【０００９】
本発明はかかる問題点を解決すべく創案されたもので、その目的は、タイムシフト機能を有するテレビジョン受像機等の表示装置にビデオゲーム機器を接続した場合でも、ビデオゲーム信号であるオーディオ・ビデオ信号を表示装置の表示部にリアルタイムに表示することのできる出力装置、表示装置及び表示システムを提供することにある。
【００１０】
【課題を解決するための手段】
本発明の表示システムは、入力信号を記憶媒体に記憶しタイムシフトして表示部に出力するタイムシフト手段を有するテレビジョン受像機の入力端子に、リアルタイム表示が必要なオーディオ・ビデオ信号を出力する光ディスク装置の出力端子が接続された構成の表示システムにおいて、前記光ディスク装置は、前記オーディオ・ビデオ信号にコピーガード信号を付加するコピーガード信号付加手段と、前記オーディオ・ビデオ信号にコピーガード信号を付加するか否かをユーザが選択する選択手段とを備え、前記テレビジョン受像機は、入力信号である前記オーディオ・ビデオ信号にコピーガード信号が付加されているか否かを検出するコピーガード検出手段と、このコピーガード検出手段によりコピーガード信号を検出した場合には、前記オーディオ・ビデオ信号を前記タイムシフト手段を経由せずに前記表示部に直接出力する入力切替手段とを備えたことを特徴としている。
【００１１】
このような特徴を有する本発明によれば、ユーザは、タイムシフト機能を有するテレビジョン受像機にビデオゲームである光ディスク装置を接続してゲームを楽しもうとする場合、選択手段によりオーディオ・ビデオ信号にコピーガード信号を付加することを選択する。具体的には、選択手段がオン・オフスイッチによって構成されており、ユーザが、このスイッチをオンすることで選択する。これにより、コピーガード信号付加手段は、オーディオ・ビデオ信号にコピーガード信号を付加して出力する。
【００１２】
一方、テレビジョン受像機側では、コピーガード検出手段により、入力信号であるオーディオ・ビデオ信号にコピーガード信号が付加されているか否かを検出する。そして、オーディオ・ビデオ信号にコピーガード信号が付加されている場合には、入力切替手段を切り替え制御して、入力されたオーディオ・ビデオ信号をタイムシフト手段を経由せずに表示部に直接出力する。
【００１３】
これにより、表示部には、ビデオゲーム機器から出力されたビデオ信号がリアルタイムに表示されるとともに、内蔵マイクからオーディオ信号による音等がリアルタイムに出力されるので、ユーザは、タイムシフト機能を有するテレビジョン受像機にビデオゲーム機器を接続した場合でも、ゲームをリアルタイムに楽しむことが可能となる。
【００１４】
また、本発明の出力装置は、リアルタイム表示が必要な各種デジタル信号を出力する出力装置において、前記デジタル信号にコピーガード信号を付加するコピーガード信号付加手段と、前記デジタル信号にコピーガード信号を付加するか否かをユーザが選択する選択手段とを備えたことを特徴としている。ここで、出力装置としては、ビデオゲーム機器またはビデオゲーム機能を搭載した光ディスク装置がある。
【００１５】
このような特徴を有する本発明によれば、タイムシフト機能を有するテレビジョン受像機に本発明の出力装置を接続してリアルタイム表示が必要な各種デジタル信号を出力する場合、選択手段によりデジタル信号にコピーガード信号を付加することを選択する。具体的には、選択手段がオン・オフスイッチによって構成されており、ユーザが、このスイッチをオンすることで選択する。これにより、コピーガード信号付加手段は、デジタル信号にコピーガード信号を付加して出力することができる。これにより、本発明の出力装置を、コピーガード信号が付加された信号を受信した場合には、タイムシフト機能をスルーして表示部へ出力する表示装置に接続した場合には、デジタル信号による情報をリアルタイムに表示部に表示することが可能となる。
【００１６】
また、本発明の表示装置は、入力信号を記憶媒体に記憶しタイムシフトして表示部に出力するタイムシフト手段を有する表示装置において、入力信号にコピーガード信号が付加されているか否かを検出するコピーガード検出手段と、このコピーガード検出手段によりコピーガード信号を検出した場合には、入力信号を前記タイムシフト手段を経由せずに前記表示部に直接出力する入力切替手段とを備えたことを特徴としている。ここで、表示装置としては、セットトップボックスまたはテレビジョン受像機がある。
【００１７】
このような特徴を有する本発明によれば、タイムシフト機能を有する本発明の表示装置に、コピーガード信号を付加した各種デジタル信号を出力する出力装置を接続した場合、コピーガード検出手段は、入力信号にコピーガード信号が付加されていることを検出する。これにより、入力切替手段の切り替え制御が行われて、入力されたデジタル信号はタイムシフト手段を経由せずに表示部に直接出力される。従って、表示部には、出力装置から出力されたデジタル信号の情報がリアルタイムに表示されることになる。
【００１８】
【発明の実施の形態】
以下、本発明の実施の形態について、図面を参照して説明する。
図１は、本発明に係わる出力装置と表示装置とを接続した表示システムの構成例を示すブロック図であり、本実施の形態では、この表示システムは、出力装置としてビデオゲーム機器１を用いており、表示装置としてタイムシフト機能を有するテレビジョン受像機２を用いた例を示している。
【００１９】
すなわち、ビデオゲーム機器１には、ビデオゲーム機能を実現するためのシステム部１１が搭載されており、このシステム部１１に、ユーザが操作するコントローラ１２が接続されている。このシステム部１１は、従来のビデオゲーム機器に搭載されている機能と同じ機能であるので、ここでは詳細な説明を省略する。なお、このシステム部１１には、ゲームソフトを記録した図示しない記録媒体（光ディスク等）を装着可能な装着部が含まれている。
【００２０】
また、システム部１１と機器本体１５の出力端子１６との間には、システム部１１から出力されるゲーム信号（オーディオ・ビデオ信号）にコピーガード信号を付加するためのコピーガード信号付加回路１７が設けられており、機器本体１５には、コピーガード信号付加回路１７によってオーディオ・ビデオ信号にコピーガード信号を付加するか否かをユーザが選択するための選択スイッチ１８が設けられている。
【００２１】
この選択スイッチ１８は、本実施の形態では、オン・オフスイッチとなっており、この選択スイッチ１８がオンされることにより、コピーガード信号付加回路１７において、システム部１１から出力されるオーディオ・ビデオ信号にコピーガード信号が付加されるようになっている。
【００２２】
一方、テレビジョン受像機２は、外部入力端子２１にコピーガード検知回路２２が接続されており、コピーガード検知回路２２の出力が第１切替スイッチ２３の共通端子ａに接続されている。また、第１切替スイッチ２３の端子ｂは、タイムシフト回路部２５の入力端子２５ａに接続されており、端子ｃは、第２切替スイッチ２４の端子ｃに接続されている。
【００２３】
また、第２切替スイッチ２４の端子ｂは、タイムシフト回路部２５の出力端子２５ｂに接続されており、共通端子ａは、Ｄ／Ａ変換回路２６を介してＣＲＴまたは液晶等からなる表示部２７に接続されている。
【００２４】
また、第１及び第２切替スイッチ２３，２４の切り替えはスイッチコントロール回路２８により制御されており、スイッチコントロール回路２８には、コピーガード検知回路２２からの検知信号が入力されるようになっている。
【００２５】
コピーガード検知回路２２は、入力されたデジタル信号からコピーガード信号を検出すると、検知信号をスイッチコントロール回路２８に出力するようになっている。
【００２６】
スイッチコントロール回路２８は、コピーガード検知回路２２から検知信号が入力されない場合には、両切替スイッチ２３，２４の共通端子ａを共に端子ｂ側に接続する。一方、コピーガード検知回路２２から検知信号が入力されている場合には、両切替スイッチ２３，２４の共通端子ａの接続を共に端子ｃ側に切り替えるようになっている。
【００２７】
タイムシフト回路部２５は、図示は省略しているが、入力信号がアナログ信号である場合にはこれをデジタル信号に変換するＡ／Ｄ変換部、変換されたデジタル信号のデータをＭＰＥＧ−２方式で圧縮処理する圧縮処理部、圧縮処理したデータを記録するハードディスクドライブ（ＨＤＤ）、ＨＤＤから読み出したデータを元のデジタル信号のデータに復号する伸長処理部、圧縮処理時や伸長処理時にデータを一時的に格納するバッファとしてのメモリ部、これら各部を制御する制御部によって構成されている。なお、入力信号がデジタル信号である場合には、Ａ／Ｄ変換部はパスするように構成されている。このようなタイムシフト回路部２５自体の構成は、従来周知の構成である。
【００２８】
次に、上記構成の表示システムにおいて、ユーザがビデオゲーム機器１を用いてゲームを行う場合の動作例について説明する。
【００２９】
ユーザがビデオゲーム機器１をテレビジョン受像機２に接続してゲームを楽しむ場合、ユーザは、ゲームソフトが格納された記録媒体をビデオゲーム機器１に装着し、機器本体に設けられている選択スイッチ１８をオンし、電源をオンしてゲームを開始する。
【００３０】
これにより、システム部１１では、記録媒体に格納されているゲームソフトに従ってオーディオ・ビデオ信号を生成し、この生成したオーディオ・ビデオ信号をコピーガード信号付加回路１６に出力する。
【００３１】
コピーガード信号付加回路１６は、選択スイッチ１８からのオン信号に基づき、内部処理によって生成したコピーガード信号を、システム部１１から入力されてくるオーディオ・ビデオ信号に付加して出力端子１６から出力する。コピーガード信号は、定期的にオーディオ・ビデオ信号に付加される。
【００３２】
このオーディオ・ビデオ信号は、テレビジョン受像機２の外部入力端子２１を介してコピーガード検知回路２２に入力される。コピーガード検知回路２２では、入力されたオーディオ・ビデオ信号にコピーガード信号が付加されているか否かを検出する。この場合には、コピーガード信号が付加されていることから、コピーガード検出回路２２は、スイッチコントロール回路２８に検知信号を出力する。
【００３３】
ここで、第１及び第２切替スイッチ２３，２４は、通常は共通端子ａが共に端子ｂ側に接続された状態となっており、外部入力端子２１から入力された信号をタイムシフト回路部２５に必ず入力するようになっている。
【００３４】
スイッチコントロール回路２８は、コピーガード検知回路２２から検知信号を受け取ると、第１及び第２切替スイッチ２３，２４の共通端子ａの接続を共に端子ｃ側に切り替える切り替え制御を行う。
【００３５】
これにより、コピーガード検知回路２２に入力されたオーディオ・ビデオ信号は、第１切替スイッチ２３の共通端子ａ、端子ｃ、第２切替スイッチ２４の端子ｃ、共通端子ａを経由し、Ｄ／Ａ変換回路２６にてアナログ信号に変換された後、表示部２７に出力され、表示部２７にてリアルタイムにゲーム内容が表示されることになる。なお、図示は省略しているが、第２切替スイッチ２４の共通端子ａに接続された音声処理部である内蔵マイクから、オーディオ信号による音等もリアルタイムに出力されることになる。
【００３６】
このように、コピーガード信号が付加されたオーディオ・ビデオ信号は、タイムシフト回路部２５をスルーして表示部２７に直接出力されるので、コピーガード信号を付加する機能を有するビデオゲーム機器１を接続した場合には、ゲームソフトの進行に従ってリアルタイムな操作が可能となるものである。
【００３７】
なお、上記実施の形態では、出力装置の例としてビデオゲーム機器自体を例に挙げているが、ビデオゲーム機能を有するＤＶＤ等の光ディスク装置であっても同様に適用することができる。また、表示装置の例としてテレビジョン受信機自体を例に挙げているが、テレビジョン受像機に設置する端末機器であるテットトップボックスであっても同様に適用することができる。
【００３８】
【発明の効果】
本発明によれば、タイムシフト機能を有する表示装置に、ビデオゲーム等のリアルタイム表示が必要なオーディオ・ビデオ信号を出力する出力装置を接続した場合に、オーディオ・ビデオ信号にコピーガード信号を付加して出力することにより、表示装置のタイムシフト機能をスルーして表示部にリアルタイムに表示することができる。すなわち、出力装置がビデオゲーム機器である場合、表示装置側がタイムシフト機能を有する装置であっても、タイムシフト機能を自動的にスルーできるので、入力設定の切り替えといった煩わしい操作を行わなくても、対戦ゲームのようなリアルタイム性を必要とするゲームを容易に行うことができる。
【図面の簡単な説明】
【図１】本発明に係わる出力装置と表示装置とを接続した表示システムの構成例を示すブロック図である。
【符号の説明】
１　ビデオゲーム機器
２　テレビジョン受像機
１１　システム部
１２　コントローラ
１５　機器本体
１６　出力端子
１７　コピーガード信号付加回路
１８　選択スイッチ（選択手段）
２１　外部入力端子
２２　コピーガード検知回路
２３　第１切替スイッチ
２４　第２切替スイッチ
２５　タイムシフト回路部
２６　Ｄ／Ａ変換回路
２７　表示部
２８　スイッチコントロール回路
【図１】
2004023267.tif 000003